(57)【要約】【課題】  へたったり折り癖がつくことのない鞄用緩衝体、これを内蔵したフィット感が高い各種鞄用部品、およびこれを取り付けた鞄の提供。【解決手段】  柔軟な袋体内に、合成樹脂発泡体製の粉粒状緩衝材４……を多数充填した鞄用緩衝体。表材５と裏材８との間に、上記鞄用緩衝体を挟み込んだ状態にして内蔵した背負いベルト。外面材１１と、上記鞄用緩衝体と、芯板１２と、内面材１３とを重合した背当て板。上記鞄用緩衝体を内蔵した肩パッド。上記背負いベルトおよび／または背当て板を備えた背負い鞄。上記肩パッドを備えた肩掛け鞄。【選択図】  図１
0003108850.tif 000002
【実用新案登録請求の範囲】
【請求項１】
柔軟な袋体内に、合成樹脂発泡体製の粉粒状緩衝材を多数充填してなることを特徴とする鞄用緩衝体。
【請求項２】
上記粉粒状緩衝材が粒径0.5mm〜10mm程度のものであることを特徴とする請求項１記載の鞄用緩衝体。
【請求項３】
上記粉粒状緩衝材が粒径1mm〜5mm程度のものであることを特徴とする請求項１記載の鞄用緩衝体。
【請求項４】
上記粉粒状緩衝材が、合成樹脂発泡体の廃材を粉砕してなるものであることを特徴とする請求項１，２または３記載の鞄用緩衝体。
【請求項５】
相異なる２種以上の合成樹脂発泡体を粉砕してそれぞれ得た上記粉粒状緩衝材を、袋体内に適当な分量ずつ充填していることを特徴とする請求項１，２，３または４記載の鞄用緩衝体。
【請求項６】
上記袋体が、天然繊維または合成繊維からなる織布，不織布、混紡布、あるいは合成樹脂等製のシート材からなることを特徴とする請求項１，２，３，４または５記載の鞄用緩衝体。
【請求項７】
上記袋体が、メッシュ素材等の通気性の高い素材からなることを特徴とする請求項１，２，３，４，５または６記載の鞄用緩衝体。
【請求項８】
表材と裏材との間に、請求項１，２，３，４，５，６または７記載の鞄用緩衝体を挟み込んだ状態にして内蔵していることを特徴とする背負い鞄の背負いベルト。
【請求項９】
表材と、裏材と、それらの間に挟み込んだ状態にして内蔵され、肩に当接することとなる位置に緩衝体嵌合部を有するウレタンスポンジ等製のクッションシートと、その緩衝体嵌合部に嵌合された請求項１，２，３，４，５，６または７記載の鞄用緩衝体とからなることを特徴とする背負い鞄の背負いベルト。
【請求項１０】
外面材と、請求項１，２，３，４，５，６または７記載の鞄用緩衝体と、芯板と、内面材とを重合してなることを特徴とする背負い鞄の背当て板。
【請求項１１】
外面材と、下辺部および左右側辺部に緩衝体嵌合部を有する角形Ｕ字状でウレタンスポンジ等製のクッションシートと、上記緩衝体嵌合部に嵌合された請求項１，２，３，４，５，６または７記載の鞄用緩衝体と、芯板と、内面材とからなることを特徴とする背負い鞄の背当て板。
【請求項１２】
請求項１，２，３，４，５，６または７記載の鞄用緩衝体を内蔵してなることを特徴とする肩掛け鞄の肩掛けベルトの肩パッド。
【請求項１３】
請求項８または９記載の背負いベルトを備えてなることを特徴とする背負い鞄。
【請求項１４】
請求項１０または１１記載の背当て板を備えてなることを特徴とする背負い鞄。
【請求項１５】
請求項８または９記載の背負いベルトと請求項１０または１１記載の背当て板とを備えてなることを特徴とする背負い鞄。
【請求項１６】
請求項１２記載の肩パッドを備えてなることを特徴とする肩掛け鞄。
【考案の詳細な説明】
【技術分野】
【０００１】
本考案は、鞄、鞄用部品、および鞄用緩衝体に関するものである。
上記鞄としてはランドセル，リュックサック等の背負い鞄や、肩掛けベルト付きの肩掛け鞄等各種の鞄が含まれ、鞄用部品としては、背負いベルト，背当て板，肩ベルトの肩パッド等が含まれる。
【背景技術】
【０００２】
従来、ランドセルやリュックサック等の各種背負い鞄のフィット感（背負い心地）を高めるために、背負い鞄本体の背当て面や背負いベルト等、身体に当接する部位に、単一の厚手のスポンジシート（主にウレタンスポンジシート）からなる緩衝体、または複数のスポンジシートを重ねて厚手にした緩衝体を内蔵させることが行われているが、このような緩衝体は、背負い心地の向上のために厚くすればするほど通気性が悪くなり、汗や湿気による蒸れの原因になるとともに、硬くなってしまったり、重量が増してしまうという問題があった。
【０００３】
また、肩掛け鞄の肩掛けベルトに取り付けられる肩パッドについても、緩衝体を内蔵させて肩へのフィット感（掛け心地）を高めることが行われているが、上記と同様の問題があった。
【０００４】
これに対し、本考案者らは既に、所要厚さにした緩衝体を内蔵するとともに、長孔を開設したり切込みを入れて通気性を良くした背負いベルト（特許文献１）や、同じく所要厚さの緩衝体を内蔵させるとともに透孔を複数開設して通気性を良くした背負いベルトや背当て板（特願2003-159067）を提案しており、これによれば、フィット感を維持しつつも蒸れの解消を図ることができる。
【特許文献１】特開2004-65462号公報
【考案の開示】
【考案が解決しようとする課題】
【０００５】
しかしながら、上記のように、長孔を開設するなどして通気性を良くした背負いベルトや背当て板にも、使用しているうちに緩衝体がへたったり折り癖がついたりするという問題が依然として残り、長期間の使用によりフィット感が損なわれてしまうことが避けられなかった。
【０００６】
そこで、本考案は、へたったり折り癖がつくことのない鞄用緩衝体、これを内蔵したフィット感が高い背負いベルト，背当て板，肩パッド等の各種鞄用部品、およびこれを取り付けた鞄を提供することを目的とする。
【課題を解決するための手段】
【０００７】
請求項１記載の本考案鞄用緩衝体は、柔軟な袋体内に、合成樹脂発泡体製の粉粒状緩衝材４……を多数充填してなる。
【０００８】
請求項２記載の本考案は、上記粉粒状緩衝材４……が粒径0.5mm〜10mm程度のものである請求項１記載の鞄用緩衝体である。
【０００９】
請求項３記載の本考案は、上記粉粒状緩衝材４……が粒径1mm〜5mm程度のものである請求項１記載の鞄用緩衝体である。
【００１０】
請求項４記載の本考案は、上記粉粒状緩衝材４……が、合成樹脂発泡体の廃材を粉砕してなるものである請求項１，２または３記載の鞄用緩衝体である。
【００１１】
請求項５記載の本考案は、相異なる２種以上の合成樹脂発泡体を粉砕してそれぞれ得た上記粉粒状緩衝材４……を、袋体内に適当な分量ずつ充填している請求項１，２，３または４記載の鞄用緩衝体である。
【００１２】
請求項６記載の本考案は、上記袋体が、天然繊維または合成繊維からなる織布，不織布、混紡布、あるいは合成樹脂等製のシート材からなる請求項１，２，３，４または５記載の鞄用緩衝体である。
【００１３】
請求項７記載の本考案は、上記袋体が、メッシュ素材等の通気性の高い素材からなる請求項１，２，３，４，５または６記載の鞄用緩衝体である。
【００１４】
請求項８記載の本考案背負い鞄の背負いベルトは、表材５と裏材８との間に、請求項１，２，３，４，５，６または７記載の鞄用緩衝体ｃを挟み込んだ状態にして内蔵している。
【００１５】
請求項９記載の本考案背負い鞄の背負いベルトは、表材５と、裏材８と、それらの間に挟み込んだ状態にして内蔵された、肩に当接することとなる位置に緩衝体嵌合部を有するウレタンスポンジ等製のクッションシート１０と、その緩衝体嵌合部に嵌合された請求項１，２，３，４，５，６または７記載の鞄用緩衝体ｄからなる。
【００１６】
請求項１０記載の本考案背負い鞄の背当て板は、外面材１１と、請求項１，２，３，４，５，６または７記載の鞄用緩衝体ｆと、芯板１２と、内面材１３とを重合してなる。
【００１７】
請求項１１記載の本考案背負い鞄の背当て板は、外面材１１と、下辺部１５ａおよび左右側辺部１５ｂ，１５ｃに緩衝体嵌合部を有する角形Ｕ字状でウレタンスポンジ等製のクッションシート１５と、上記緩衝体嵌合部に嵌合された請求項１，２，３，４，５，６または７記載の鞄用緩衝体ｈ……と、芯板１２と、内面材１３とからなる。
【００１８】
請求項１２記載の本考案肩掛け鞄の肩掛けベルトの肩パッドは、請求項１，２，３，４，５，６または７記載の鞄用緩衝体を内蔵してなる。
【００１９】
請求項１３記載の本考案背負い鞄は、請求項８または９記載の背負いベルトを備えてなる。
【００２０】
請求項１４記載の本考案背負い鞄は、請求項１０または１１記載の背当て板を備えてなる。
【００２１】
請求項１５記載の本考案背負い鞄は、請求項８または９記載の背負いベルトと請求項１０または１１記載の背当て板とを備えてなる。
【００２２】
請求項１６記載の本考案肩掛け鞄は、請求項１２記載の肩パッドを備えてなる。
【考案の効果】
【００２３】
本考案鞄用緩衝体は、柔軟な袋体内に合成樹脂発泡体製の粉粒状緩衝材を多数充填してなるので、緩衝性に優れるとともに長期にわたって使用されてもへたったり折り癖が付いてしまうようなことがなく、これを各種鞄の所要位置に内蔵させれば、該各種鞄のフィット感を従来に比べ改善することができる。
【００２４】
特に、上記袋体を通気性の高い素材で製作すれば、汗や湿気による蒸れを防ぐこともできる。
【００２５】
本考案背負い鞄の背負いベルト，背当て板、および肩掛けベルトの肩パッドは、上記鞄用緩衝体を内蔵しているから、従来のものより身体へのフィット感が高い。
【００２６】
本考案背負い鞄は、上記背負いベルトおよび／または背当て板を備え、また、本考案肩掛け鞄は、上記肩パッドを備えているから、従来のものより背負い心地、掛け心地がよい。
【考案を実施するための最良の形態】
【００２７】
柔軟な袋体内に、合成樹脂発泡体製の粉粒状緩衝材４……を多数充填してなる鞄用緩衝体。
【実施例】
【００２８】
まず本考案鞄用緩衝体の一実施例について詳しく説明する。
【００２９】
ａは、柔軟でしかも好ましくは伸縮自在な楕円形状の外装材１と２とを重合し、互いの縁部を接着，ウェルディングまたは縫着して密封される扁平楕円形状の袋体３内に、発泡ポリウレタン，発泡ポリエチレン，発泡ポリスチレン等の合成樹脂発泡体製で、粒径（粉径）0.5mm〜10mm程度の粉粒状緩衝材４……を多数充填してなる鞄用緩衝体である（図１）。
【００３０】
上記袋体３の形状は、扁平楕円形状に限られるものではなく、筒状，直方体状その他の形状のものとすることができ、また、扁平なものとしても肉厚のものとしてもよい。その製作にあたっては、所要形状に裁断した任意の枚数の外装材を適宜接着等することにより袋状に形成すればよい。
【００３１】
また、上記外装材１，２の材質は、天然繊維または合成繊維からなる織布，不織布、混紡布、あるいは合成樹脂等製のシート材等とすることができるが、特に、メッシュ素材等の通気性の高いものとするのが好ましい。
【００３２】
上記個々の粉粒状緩衝材４……の形状は、球状，立方体状，多角体状，チップ状等その他の任意の形状とすることができ、また、その粒径を適宜決定することによって使用箇所等に応じた種々の硬さ，手触りの鞄用緩衝体ａを製作することができる。
ただし、粒径が0.5mm以下になると、鞄用緩衝体ａは硬くなりすぎ、また、10mm以上にまで大きくするとゴワゴワしたものになってしまうので、使用箇所等により、敢えて硬いものとする必要があるときやゴワゴワしたものが必要な場合以外は、上記のとおり0.5mm〜10mmの範囲内とするのが好ましく、特に、ランドセル等の背負い鞄用のものとしては、粒径を1mm〜5mm程度の範囲とするのが最も好ましい。
【００３３】
上記粉粒状緩衝材４……は、たとえば、背負い鞄の背負いベルトや背当て板、また、肩掛け鞄の肩掛けベルトの肩パッド等に重合内包される、合成樹脂発泡体製のクッションシートを成形裁断する際に発生し、従来廃棄されていた廃材（切れ端）を細かく粉砕して製作することができる。
上記のような、従来廃棄されていた合成樹脂発泡体を細かく粉砕して粉粒状緩衝材を製作するようにすれば、資源の有効利用を促進し、コスト削減を図ることができる。
【００３４】
また、材質や硬さ等の異なる２種以上の合成樹脂発泡体を粉砕してそれぞれ得た各粉粒状緩衝材を、適当な分量ずつ混ぜて上記袋体３に充填することにより、硬さや手触りを任意に設定した鞄用緩衝体ａを製作することができる。
【００３５】
上記構成からなる鞄用緩衝体ａは、柔軟な上記袋体３内に充填した上記粉粒状緩衝材４……が、内部で流動自在な状態になるから、緩衝性に優れるだけでなく長期にわたって使用されてもへたったり折り癖が付いてしまうようなことがなく、しかも身体に当接させた時にはフィット感が高いものである。
さらに、上記袋体３を通気性の高いメッシュ素材等で製作すれば、非常に通気性が高いものとなり、蒸れを生じさせにくい。
【００３６】
該鞄用緩衝体ａは、各種鞄のデザインやその内蔵させる位置に合わせた適宜の大きさおよび形状にして製作し、たとえば、ランドセルやリュックサック等の背負い鞄の背負いベルトの内面側、背負い鞄本体の背当て面側、あるいは肩掛け鞄（図９参照）の肩掛けベルトａ′の肩パッドａ″の内面側等、各種鞄用部品の身体に当接することとなる各部位に内蔵させることができるもので、緩衝性に優れるだけでなく長期にわたって使用されてもへたったり折り癖が付いてしまうようなことがないから、これを内蔵した各種鞄の背負い心地または肩ヘの掛け心地を従来に比べ改善することができる。
【００３７】
次に、本考案背負い鞄の背負いベルトの一実施例について、ランドセルの背負いベルトを例にとり、図２，３を参照しながら説明する。
【００３８】
ｂは、皮革（天然皮革および人工皮革を含む。以下同じ。）製の表材５と、基部側包み材６および剣先包み材７からなる裏材８との間に、それら表材５および裏材８とほぼ同形同大の鞄用緩衝体ｃを挟み込んだ状態にして内蔵するとともに、それらの縁部を縫合して一体化してなるランドセルの背負いベルト（の大紐）である。
【００３９】
上記鞄用緩衝体ｃは、上記鞄用緩衝体ａとは、その形状を異にするだけのものであり、具体的には、幅広部９ａの一側にやや幅細の背環巻回部９ｂを延長形成し、他側に幅細の小紐緊締部９ｃを延長形成した扁平で長尺な袋体９内に、上記粉粒状緩衝材４……を多数充填してなるものである。
【００４０】
上記構成からなる背負いベルトｂは、緩衝性に優れるだけでなく長期にわたって使用されてもへたったり折り癖が付いてしまうようなことがない鞄用緩衝体ｃを、その全長に内蔵しているから、従来の、表材と裏材の間にウレタンスポンジからなるクッションシートを内蔵していた背負いベルトと異なり、長期間の使用によっても、フィット感を損ないにくい。
したがって、これを取り付けた背負い鞄は、従来の背負いベルトを取り付けた背負い鞄に比べ、長期間の使用によってもフィット感（背負い心地）を損ないにくい。
【００４１】
また、鞄用緩衝体ｃの袋体９を通気性の高い材料で製作すれば、背負いベルトｂの肩に当接する面（内面）の汗や湿気による蒸れを防ぐこともできる。
【００４２】
続いて、本考案背負い鞄の背負いベルトの、他の実施例について図４，５を参照しながら説明する。
【００４３】
背負いベルトｂ′は、上記背負いベルトｂに内蔵していた鞄用緩衝体ｃに代えて、これと同形同大で、肩に当接することとなる上記幅広部９ａに相当する位置の内面に、緩衝体嵌合部たる長楕円形の緩衝体嵌合凹処１０ａを掘設したウレタンスポンジ等製のクッションシート１０と、その緩衝体嵌合凹処１０ａに嵌合された扁平な長楕円形状の鞄用緩衝体ｄとを内蔵しているもので、その他の点は上記背負いベルトｂと同じである。
上記鞄用緩衝体ｄは、袋体内に粉粒状緩衝材４……を多数充填しているもので、上記鞄用緩衝体ａおよび上記鞄用緩衝体ｃとは、その形状を扁平な長楕円形にしている点を異にするだけのものである。
【００４４】
なお、上記では、緩衝体嵌合部を、クッションシート１０の内面の緩衝体嵌合凹処１０ａとし、ここに鞄用緩衝体ｄを嵌合配置するようにしたが、緩衝体嵌合部としてそのクッションシート１０の両面に貫通して開口する緩衝体嵌合孔を開設し、ここに鞄用緩衝体を嵌合配置するようにしてもよい。
【００４５】
この背負いベルトｂ′は、肩に当接することとなる位置に上記鞄用緩衝体ｄを配置しているから、これを取り付けた背負い鞄（図８参照）は、従来の、表材と裏材の間にウレタンスポンジからなるクッションシートを内蔵していた背負いベルトを取り付けたものと異なり、長期間の使用によっても、肩へのフィット感（背負い心地）を損ないにくい。
【００４６】
次に、本考案背負い鞄の背当て板の一実施例につき、ランドセルの背当て板を例にとり、図６を参照しながら説明する。
【００４７】
ｅは、柔軟な皮革製の外面材１１と、肉厚の鞄用緩衝体ｆと、硬質の芯板１２と、皮革製の内面材１３とをこの順に重合し、互いを接着するとともに必要な箇所を縫合してなる、ランドセル筐体の一部を構成する背当て板である。
【００４８】
上記鞄用緩衝体ｆは、上記各鞄用緩衝体ａ，ｃ，ｄと、その形状を異にするだけのもので、具体的には、幅太の下辺部１４ａの左右両端に、上方に延出する左右側辺部１４ｂ，１４ｃを連続させた角形Ｕ字状の袋体１４内に、上記粉粒状緩衝材４……を多数充填してなるものである。
【００４９】
上記ランドセルの背当て板ｅは、緩衝性に優れるだけでなく長期にわたって使用されてもへたったり折り癖が付いてしまうようなことがない鞄用緩衝体ｆを内蔵しており、その鞄用緩衝体ｆの上記下辺部１４ａを該ランドセルを背負う者の腰に、また、上記左右側辺部１４ｂ，１４ｃを左右両脇に、外面材１１を介して当接させるようになっているので、これを取り付けた背負い鞄は、従来の、外装材と芯板との間にウレタンスポンジ等製のクッションシートを内蔵していた背当て板を取り付けたものと異なり、長期間の使用によっても、フィット感（背負い心地）を損ないにくい。
また、鞄用緩衝体ｅの袋体１４を通気性の高い材料で製作すれば、汗や湿気による背中の蒸れを防ぐこともできる。
【００５０】
続いて、本考案背負い鞄の背当て板の他の実施例について図７を参照しながら説明する。
【００５１】
背当て板ｅ′は、上記背当て板ｅに内蔵していた鞄用緩衝体ｆに代えて、これと同形同大の角形Ｕ字状で、下辺部１５ａの背当て面（外面材１１側の面）に緩衝体嵌合部たる長楕円形の緩衝体嵌合凹処１６ａを掘設し、左右側辺部１５ｂ，１５ｃの背当て面に同じく緩衝体嵌合部たる長楕円形の緩衝体嵌合凹処１６ｂ，１６ｃを掘設したウレタンスポンジ等製のクッションシート１５と、それら緩衝体嵌合凹処１６ａ，１６ｂ，１６ｃに嵌合された鞄用緩衝体ｈ……を内蔵しているもので、その他の点は上記背当て板ｅと同じである。
【００５２】
上記鞄用緩衝体ｈ……は、粉粒状緩衝材を多数充填しているもので、上記鞄用緩衝体ａ，ｃ，ｄ，ｆとは、その形状を異にするだけのものである。
【００５３】
すなわち、背当て板ｅ′は、使用者の腰および左右両脇に当接する位置の背当て面側にのみ上記鞄用緩衝体ｈ……を内蔵させているものである点において、上記背当て板ｅと異なる。
【００５４】
なお、緩衝体嵌合部は、クッションシート１５の両面に貫通して開口する緩衝体嵌合孔としてもよい。
【００５５】
この背当て板ｅ′は、腰および左右両脇に当接することとなる位置に上記鞄用緩衝体ｈ……を配置しているから、これを取り付けた背負い鞄（図８参照）は、長期間の使用によっても、フィット感（背負い心地）を損ないにくい。
また、鞄用緩衝体ｈ……の袋体を通気性の高い材料で製作すれば、汗や湿気による背中の蒸れを防ぐこともできる。
【図面の簡単な説明】
【００５６】
【図１】本考案鞄用緩衝体の一実施例を示した斜視図である。
【図２】本考案背負いベルトの一実施例を示した分解斜視図である。
【図３】同上の断面図である。
【図４】本考案背負いベルトの他の実施例を示した分解斜視図である。
【図５】同上の断面図である。
【図６】本考案背当て板の一実施例を示した分解斜視図である。
【図７】本考案背当て板の他の実施例を示した分解斜視図である。
【図８】本考案背負いベルトおよび本考案背当て板を備えたランドセルの斜視図である。
【図９】本考案肩パッドを備えた肩掛け鞄を示した斜視図である。
【符号の説明】
【００５７】
ａ，ｃ，ｄ，ｆ，ｈ    鞄用緩衝体
ａ′          肩掛けベルト
ａ″          肩パッド
ｂ，ｂ′      背負いベルト
ｅ，ｅ′      背当て板
１，２        外装材
３            袋体
４            粉粒状緩衝材
５            表材
８            裏材
９            袋体
９ａ          幅広部
９ｂ          背環巻回部
９ｃ          小紐緊締部
１０          クッションシート
１０ａ        緩衝体嵌合凹処
１１              外面材
１２              芯板
１３              内面材
１４              袋体
１４ａ            下辺部
１４ｂ，１４ｃ    左右側辺部
１５              クッションシート
１５ａ            下辺部
１５ｂ，１５ｃ    左右側辺部
１６ａ〜１６ｃ    緩衝体嵌合凹処
【図１】
0003108850.tif 000003
【図２】
0003108850.tif 000004
【図３】
0003108850.tif 000005
【図４】
0003108850.tif 000006
【図５】
0003108850.tif 000007
【図６】
0003108850.tif 000008
【図７】
0003108850.tif 000009
【図８】
0003108850.tif 000010
【図９】
0003108850.tif 000011